(57)【要約】【課題】浴室内の空気を暖める熱交換部７と、熱交換部７を通過した空気を浴室内へ送出する循環ファン５と、浴室内の空気を屋外へ排出する換気ファン４とを具備し、熱交換部７にて暖められた空気を循環ファン５によって浴室内へ送出し且つ換気ファン４によって浴室内の空気を屋外へ排出する空調モードたる乾燥運転モードを実行する空気調和運転を行う浴室空気調和機１において、浴室内に浮遊するカビ等の菌類を積極的に減少させること。【解決手段】電圧を印加することにより正イオンと負イオンを発生させるイオン発生器６を設け、乾燥運転モードの実行時に、イオン発生器６により正イオンおよび負イオンを発生させるイオン発生制御手段を備えたこと。【選択図】　図３
2004085078.tif 000002
【特許請求の範囲】
【請求項１】
浴室内の空気を暖める熱交換部と、前記熱交換部を通過した空気を浴室内へ送出する循環ファンと、浴室内の空気を屋外へ排出する換気ファンとを具備し、
前記熱交換部にて暖められた空気を前記循環ファンによって浴室内へ送出し且つ前記換気ファンによって浴室内の空気を屋外へ排出する空調モードたる乾燥運転モードを実行する空気調和運転を行う浴室空気調和機において、
電圧を印加することにより正イオンと負イオンを発生させるイオン発生器を設け、
前記乾燥運転モードの実行時に、前記イオン発生器により正イオンおよび負イオンを発生させるイオン発生制御手段を備えた、浴室空気調和機。
【請求項２】
請求項１に記載の浴室空気調和機において、
前記イオン発生制御手段は、前記正イオンおよび前記負イオンを略同量の割合で発生させる第１イオン発生モードを実行する、浴室空気調和機。
【請求項３】
請求項１または２に記載の浴室空気調和機において、
前記空調モードは、前記熱交換部にて暖められた空気を前記循環ファンによって浴室内へ送出して浴室内の空気を暖める暖房運転モードと、前記循環ファンによって浴室内の空気を循環させるとともに前記換気ファンによって浴室内の空気を屋外へ排出する涼風運転モードとをさらに有しており、
前記イオン発生器により正イオンに対する負イオンの割合が大きい第２イオン発生モードを、前記暖房運転モードまたは前記涼風運転モードの実行時に実行させる制御手段を備えた、浴室空気調和機。
【請求項４】
請求項２または３に記載の浴室空気調和機において、
浴室内の人の有無を検知する人検知センサを設け、
前記空気調和運転の実行時で且つ前記人検知センサが浴室内の人を検知していない場合は、前記空気調和運転の空調モードを変化させることなく前記第１イオン発生モードを実行させる制御手段を備えた、浴室空気調和機。
【請求項５】
請求項２または３に記載の浴室空気調和機において、
浴室内の人の有無を検知する人検知センサを設け、
前記空気調和運転の実行時で且つ前記人検知センサが浴室内の人を検知している場合は、前記空気調和運転の空調モードを変化させることなく前記イオン発生器により正イオンに対する負イオンの割合が大きい第２イオン発生モードを実行させる制御手段を備えた、浴室空気調和機。
【請求項６】
請求項１から５のいずれかに記載の浴室空気調和機において、
前記空調モードは、前記換気ファンを作動させずに前記循環ファンによって浴室内の空気を循環させる循環運転モードをさらに有しており、
前記イオン発生器によって略同量の正イオンと負イオンとを発生させる第１イオン発生モードを、前記循環運転モードの実行時に実行させる制御手段を備えた、浴室空気調和機。
【請求項７】
浴室内の空気を暖める熱交換部と、前記熱交換部を通過した空気を浴室内へ送出する循環ファンと、浴室内の空気を屋外へ排出する換気ファンとを具備する浴室空気調和機において、
電圧を印加することにより正イオンと負イオンを発生させるイオン発生器と、
浴室内の人の有無を検知する人検知センサとを設け、
空気調和運転の実行時に、前記人検知センサが浴室内の人を検知していない場合は、前記イオン発生器によって略同量の正イオンおよび負イオンを発生させる第１イオン発生モードを実行させ、前記人検知センサが浴室内の人を検知している場合は、前記イオン発生器によって正イオンに対する負イオンの割合が大きい第２イオン発生モードを実行させる制御手段を備えた、浴室空気調和機。
【請求項８】
請求項１から７のいずれかに記載の浴室空気調和機において、
前記空気調和運転の停止後に、前記循環ファンによって空気を前記空気調和機本体内で循環させるとともに前記イオン発生器によって略同量の正イオンと負イオンとを発生させる第１イオン発生モードを行う内部除菌動作を一定時間実行させる制御手段を備えた、浴室空気調和機。
【発明の詳細な説明】
【０００１】
【発明の属する技術分野】
本発明は、浴室内の乾燥や換気等を行うための浴室空気調和機に関するものである。
【０００２】
【従来の技術】
浴室は、多量の湿気にさらされており、住環境においてカビ等の菌類が特に増殖しやすい空間である。従って、浴室内の湿度を減少させてカビ等の菌類の増殖を抑制するために、浴室の乾燥や換気等を行う空気調和機が知られている（例えば、特開２００１−２０１１５６）。
【０００３】
この種の浴室空気調和機として、図８に示す概略構造を有するものがあり、このものでは、温水供給装置２から引き出された往き側温水通路２１および戻り側温水通路２２は、浴室空気調和機１の配管接続口７１，７２を介して浴室空気調和機１内の熱交換部７と連通している。
【０００４】
浴室空気調和機１には、該浴室空気調和機１の空気調和運転等の運転動作を制御する運転制御部１００と、前記熱交換部７を介して浴室内の空気を循環させる循環ファン５と、該循環ファン５からの空気を送出させる送風口１８と、該送風口１８を開閉するルーバー１８０とが設けられている。
また、浴室を構成する壁Ｗには、浴室内から屋外へ通ずる換気通路４２が形成されており、該換気通路４２の出口部には換気ファン４が設けられている。
【０００５】
前記運転制御部１００には、浴室空気調和機１の空調モード等を設定するリモコン部９と、前記循環ファン５を駆動させるモータ５５と、前記ルーバー１８０を駆動させるモータ１８５と、前記換気ファン４と、前記温水供給装置２とが電気的に接続されている。
【０００６】
このものでは、例えば、リモコン９で乾燥運転モードを選択すると、運転制御部１００からの信号により、温水供給装置２が高温の温水を熱交換部７へ供給するとともに、前記モータ１８５がルーバー１８０を開放し、モータ５５が循環ファン５を回転させ、さらに、換気ファン４が回転を開始する。
【０００７】
このとき、浴室内の空気は、浴室空気調和機本体１０に形成されたスリット１２ａから該浴室空気調和機本体１０内へ吸入される。吸入された空気は上記熱交換部７で暖められ、前記循環ファン５の下方に延びる送風通路１９を介して送風口１８から浴室へ送出される。また、前記換気通路４２の入口側の吸気口１２ｂから吸入された空気は、上記換気通路４２を介して前記換気ファン４から屋外へ排出される。
これにより、浴室内は、前記送風口１８から送出される温風と、前記換気ファン４による換気とによって、乾燥される。
【０００８】
【発明が解決しようとする課題】
しかしながら、上記浴室空気調和機１は、前記乾燥によって浴室内に浮遊するカビ等の菌類が増殖しにくい環境にすることはできるが、菌類自体を積極的に減少させるものではなかった。
【０００９】
本発明は係る点に鑑みて成されたもので、
『浴室内の空気を暖める熱交換部と、前記熱交換部を通過した空気を浴室内へ送出する循環ファンと、浴室内の空気を屋外へ排出する換気ファンとを具備し、
前記熱交換部にて暖められた空気を前記循環ファンによって浴室内へ送出し且つ前記換気ファンによって浴室内の空気を屋外へ排出する空調モードたる乾燥運転モードを実行する空気調和運転を行う浴室空気調和機』において、浴室内に浮遊するカビ等の菌類を積極的に減少させることをその課題とする。
【００１０】
【課題を解決するための手段】
［１項］
上記課題を解決するための本発明の技術的手段は、
『電圧を印加することにより正イオンと負イオンを発生させるイオン発生器を設け、
前記乾燥運転モードの実行時に、前記イオン発生器により正イオンおよび負イオンを発生させるイオン発生制御手段を備えた』ことである。
【００１１】
上記技術的手段によれば、前記乾燥運転モードの実行時には、前記イオン発生器によって発生した正イオンおよび負イオンが浴室内へ拡散され、これら両イオンによって、浴室内に浮遊するカビ等の菌類が積極的に除去される。
尚、正イオンと負イオンによって菌類が除去されるのは、次の理由によるものと考えられる。
【００１２】
イオン発生器の電極間に交流高電圧を印加すると、大気中で放電等の電離現象が起こり、正イオンおよび負イオンが発生する。このとき、正イオンとしてはＨ＋（Ｈ２Ｏ）ｎ、負イオンとしてはＯ２−（Ｈ２Ｏ）ｎが最も安定に生成する。
【００１３】
これらのイオンは、正イオンまたは負イオン単独では空気中に浮遊するカビ等の細菌に対して格別な効果を示さない。しかし、これらのイオンが同時に生成すると、化学反応によって活性種である過酸化水素Ｈ２Ｏ２または水酸化ラジカル・ＯＨが生成する。このＨ２Ｏ２または・ＯＨは、極めて強力な活性を示すため、これにより空気中に浮遊するカビ等の菌類を除去することができる。
【００１４】
［２項］
前記１項において、
『前記イオン発生制御手段は、前記正イオンおよび前記負イオンを略同量の割合で発生させる第１イオン発生モードを実行する』ものでは、前記乾燥運転モードの実行時に、前記イオン発生器によって発生した略同量の正イオンおよび負イオンが浴室内へ拡散される。即ち、浴室内の菌類を一層効果的に除去することができる略同量の正イオンおよび負イオンが浴室内へ拡散される。
【００１５】
［３項］
前記１項または２項において、
『前記空調モードは、前記熱交換部にて暖められた空気を前記循環ファンによって浴室内へ送出して浴室内の空気を暖める暖房運転モードと、前記循環ファンによって浴室内の空気を循環させるとともに前記換気ファンによって浴室内の空気を屋外へ排出する涼風運転モードとをさらに有しており、
前記イオン発生器により正イオンに対する負イオンの割合が大きい第２イオン発生モードを、前記暖房運転モードまたは前記涼風運転モードの実行時に実行させる制御手段を備えた』ものとすることができる。
このものでは、暖房運転モードおよび涼風運転モードの実行時には、正イオンに対する負イオンの発生割合が大きい第２イオン発生モードが実行される。即ち、人間に対してリラックス効果を発揮する多量の負イオンが浴室内に拡散される。
【００１６】
［４項］
前記２項または３項において、
『浴室内の人の有無を検知する人検知センサを設け、
前記空気調和運転の実行時で且つ前記人検知センサが浴室内の人を検知していない場合は、前記空気調和運転の空調モードを変化させることなく前記第１イオン発生モードを実行させる制御手段を備えた』ものとすれば、前記空気調和運転の実行時において、浴室内に人がいない場合には、上記２項で説明した第１イオン発生モードが実行され、これにより、浴室内の菌類が積極的に除去される。
【００１７】
［５項］
前記２項または３項において、
『浴室内の人の有無を検知する人検知センサを設け、
前記空気調和運転の実行時で且つ前記人検知センサが浴室内の人を検知している場合は、前記空気調和運転の空調モードを変化させることなく前記イオン発生器により正イオンに対する負イオンの割合が大きい第２イオン発生モードを実行させる制御手段を備えた』ものとすれば、前記空気調和運転の実行時において、浴室内に人がいる場合には、上記３項で説明した第２イオン発生モードが実行される。即ち、人間に対してリラックス効果を発揮する多量の負イオンが浴室内に拡散される。
【００１８】
［６項］
前記１項から５項のいずれかにおいて、
『前記空調モードは、前記換気ファンを作動させずに前記循環ファンによって浴室内の空気を循環させる循環運転モードをさらに有しており、
前記イオン発生器によって略同量の正イオンと負イオンとを発生させる第１イオン発生モードを、前記循環運転モードの実行時に実行させる制御手段を備えた』ものとすれば、前記循環運転モードの実行時に、前記イオン発生器によって発生した略同量の正イオンおよび負イオンが浴室内へ拡散され、浴室内の菌類が積極的に除去される。
【００１９】
［７項］
『浴室内の空気を暖める熱交換部と、前記熱交換部を通過した空気を浴室内へ送出する循環ファンと、浴室内の空気を屋外へ排出する換気ファンとを具備する浴室空気調和機において、
電圧を印加することにより正イオンと負イオンを発生させるイオン発生器と、
浴室内の人の有無を検知する人検知センサとを設け、
空気調和運転の実行時に、前記人検知センサが浴室内の人を検知していない場合は、前記イオン発生器によって略同量の正イオンおよび負イオンを発生させる第１イオン発生モードを実行させ、前記人検知センサが浴室内の人を検知している場合は、前記イオン発生器によって正イオンに対する負イオンの割合が大きい第２イオン発生モードを実行させる制御手段を備えた』ものでは、空気調和運転の実行時に、空調モードに関わらず、人検知センサの検知結果によってイオン発生器の動作モードが制御される。即ち、浴室内に人がいない場合には、前記イオン発生器によって上記２項で説明した第１イオン発生モードが実行され、浴室内に人がいる場合には、前記イオン発生器によって上記３項で説明した第２イオン発生モードが実行される。
【００２０】
［８項］
前記１項から７項のいずれかにおいて、
『前記空気調和運転の停止後に、前記循環ファンによって空気を前記空気調和機本体内で循環させるとともに前記イオン発生器によって略同量の正イオンと負イオンとを発生させる第１イオン発生モードを行う内部除菌動作を一定時間実行させる制御手段を備えた』ものとすれば、前記空気調和運転が停止された後、前記イオン発生器によって発生した正イオンおよび負イオンが循環ファンによって浴室空気調和機本体内へ拡散される。即ち、菌類を積極的に除去する正イオンおよび負イオンが浴室空気調和機本体内へ拡散される。
【００２１】
【発明の効果】
本発明は、上記構成であるから次の特有の効果を有する。
前記乾燥運転モードの実行時には、前記イオン発生器によって発生した正イオンおよび負イオンが浴室内へ拡散され、これら両イオンによって、浴室内の菌類が積極的に除去されるから、前記乾燥運転モードの実行時には浴室内に浮遊するカビ等の菌類を減少させることができる。
【００２２】
２項のものでは、略同量の正イオンおよび負イオンが浴室内へ拡散されるから、前記乾燥運転モードの実行時に、浴室内に浮遊するカビ等の菌類を一層効果的に減少させることができる。
【００２３】
３項のものでは、暖房運転モードおよび涼風運転モードの実行時には、人間に対してリラックス効果を発揮する多量の負イオンが浴室内に拡散されるから、上記効果に加えて、前記暖房運転モードおよび前記涼風運転モードの実行時に、浴室内の人に対してリラックス効果を発揮することができる。
【００２４】
４項のものでは、前記空気調和運転の実行時において、浴室内に人がいない場合には、上記２項で説明した第１イオン発生モードが実行されるから、浴室内に人がいないときには除菌効果の高い略同量の正イオンおよび負イオンを拡散して、浴室内の菌類を減少させることができる。
【００２５】
５項のものでは、前記空気調和運転の実行時において、浴室内に人がいる場合には、上記３項で説明した第２イオン発生モードが実行されるから、浴室内に人がいるときには人間に対してリラックス効果を発揮する多量の負イオンを拡散して、浴室内の人に対してリラックス効果を発揮することができる。
【００２６】
６項のものでは、前記乾燥運転モードや前記暖房運転モード等の制御動作とは別に、浴室内の菌類を減少させる制御のみを行うことができる。
【００２７】
７項のものでは、前記空気調和運転の実行時において、浴室内に人がいない場合には上記第１イオン発生モードが実行され、浴室内に人がいる場合には上記第２イオン発生モードが実行されるから、浴室内に人がいないときには浴室内の菌類を減少させ、人がいるときには人に対してリラックス効果を発揮することができる。
【００２８】
８項のものでは、前記空気調和運転が停止された後、前記イオン発生器によって発生した正イオンおよび負イオンが浴室空気調和機本体内へ拡散されるから、上記効果に加えて、浴室空気調和機本体内の菌類を減少させる動作が自動的に実行される。
【００２９】
【発明の実施の形態】
次に、上記した本発明の実施の形態を図面に従って詳述する。
図１は、本発明の実施の形態に係る浴室空気調和機１の概念図であり、図２はその縦断面概略図である。
【００３０】
図１に示すように、本発明の実施の形態に係る浴室空気調和機１は、後述する温水供給装置２から供給される温水熱を利用して浴室内の空気を暖める熱交換部７と、浴室内の空気を浴室空気調和機本体１０内に前記熱交換部７を介して吸入し、その吸入された空気を浴室へ送出させる循環ファン５と、浴室内の空気を屋外へ排出させる換気ファン４とを具備している。
【００３１】
尚、本発明の対象たる上記浴室空気調和機１には、前記熱交換部７に連結される配管を介して温水を循環させる温水供給装置２が配管接続されている。
以下、各部の詳細を説明する。
【００３２】
［温水供給装置２について］
温水供給装置２は、該温水供給装置２に内蔵されたガスバーナ２５によって加熱される熱交換器２７と、該熱交換器２７で加熱された温水が流れる往き側温水通路２１と、上記浴室空気調和機１に設けられた熱交換部７からの温水が流れる戻り側温水通路２２と、前記往き側温水通路２１に配設される循環ポンプ２９とを具備している。
また、前記循環ポンプ２９や前記ガスバーナ２５用のガス電磁弁（図示せず）を電気的に接続し、温水供給装置２の温水循環動作を制御する温水循環制御部２００を備えている。
【００３３】
［浴室空気調和機１について］
浴室空気調和機１には、上記温水供給装置２から引き出された往き側温水通路２１が接続される往き側温水配管接続口７１と、上記温水供給装置２から引き出された戻り側温水通路２２が接続される戻り側温水配管接続口７２とが設けられており、前記熱交換部７が該往き側温水配管接続口７１と戻り側温水配管接続口７２に接続されている。即ち、前記温水供給装置２の熱交換器２７から前記往き側温水通路２１、前記熱交換部７、前記戻り側温水通路２２の順で環状に配管された状態になっている。
また、浴室空気調和機本体１０の上面および前面には、前記循環ファン５に吸入される空気の入口となるスリット１２ａが形成されている（図２参照）。
【００３４】
浴室空気調和機本体１０の下面には、前記循環ファン５から送出される空気の出口となる送風口１８が形成されており、該送風口１８はモータ１８５を動力源として開閉するルーバー１８０を備えている。前記送風口１８の上方には前記循環ファン５が配設されており、前記循環ファン５の下方から該送風口１８までの間に、循環ファン５から送出される空気の通路となる送風通路１９が形成されている。
【００３５】
上記送風通路１９には、電極間に交流高電圧を印加することにより正イオンと負イオンとを発生させるイオン発生器６が設けられている。
さらに、浴室空気調和機本体１０内の下方部には、前記送風通路１９の送風口１８近傍から前記浴室空気調和機本体１０内へ繋がる内部循環通路１９０が設けられている。
【００３６】
また、浴室内から屋外へ通ずる換気通路４２が、浴室を構成する壁Ｗを貫通した状態に設けられており、該換気通路４２の出口部に浴室内の空気を排出する換気ファン４が設けられている。
【００３７】
浴室空気調和機本体１０内部には、後述する浴室空気調和機１の空気調和運転等の運転動作を制御する運転制御部１００が設けられており、該運転制御部１００には、前記温水供給装置２に設けられた温水循環制御部２００と、前記循環ファン５を駆動させるモータ５５と、前記ルーバー１８０を駆動させるモータ１８５と、前記イオン発生器６と、前記換気ファン４と、さらに、浴室内の人の有無を検知する人検知センサ３３と、浴室内の温度を検知する温度センサ３５と、後述する浴室空気調和機１の空調モード等を設定するリモコン９とが電気的に接続されている。
【００３８】
前記運転制御部１００には、後述する乾燥運転モードを実行する乾燥運転制御手段と、暖房運転モードを実行する暖房運転制御手段と、涼風運転モードを実行する涼風運転制御手段と、換気運転モードを実行する換気運転制御手段と、循環運転モードを実行する循環運転制御手段と、さらに、後述する前記イオン発生器の第１イオン発生モードおよび第２イオン発生モードの切替を制御するイオン発生制御手段と、暖房運転モードの開始時刻を監視する予約制御手段と、乾燥運転モード、暖房運転モード、涼風運転モード、換気運転モードおよび循環運転モード等の各空調モードの運転時間を監視するタイマー制御手段とが設けられている。
【００３９】
［運転動作の実際］
次に、上記浴室空気調和機１の動作を説明する。
浴室空気調和機１に組み込まれた運転制御部１００には、図３から図７のフローチャートに示す内容の制御動作を実行するマイクロコンピュータが格納されており、以下、本実施の形態に係る浴室空気調和機の動作を図３から図７のフローチャートに従って説明する。
【００４０】
図３は、乾燥運転モードを実行する場合のフローチャートである。
まず、浴室空気調和機１のリモコン９に設けられた乾燥運転スイッチ９１が操作されたか否かを示す信号が、運転制御部１００に送信されるのを監視する（ＳＴ１０１）。
そして、乾燥運転スイッチ９１が操作されたことを確認すると、前記乾燥運転制御手段によって以下の乾燥運転制御が実行される。
【００４１】
前記運転制御部１００は、温水供給装置２の温水循環制御部２００に対して温水供給装置２の運転開始信号を出力する。すると、温水供給装置２は前記循環ポンプ２９によって、前記熱交換器２７で加熱した高温の温水を前記往き側温水通路２１を介して前記熱交換部７へ循環させる。また、前記送風口１８のモータ１８５に対して、ルーバー１８０を開方向へ回動させる指示信号を出力してルーバー１８０を開く（ＳＴ１０２）。
【００４２】
次に、循環ファン５のモータ５５に対して、該モータ５５を強回転（例えば、循環ファン５からの送風量が５ｍ３／分となる回転数にて作動）させる指示信号を出力して循環ファン５を回転させるとともに、換気ファン４を作動させる指示信号を出力して換気ファン４を回転させる（ＳＴ１０３）。
【００４３】
すると、浴室内の空気は、浴室空気調和機本体１０に形成されるスリット１２ａから前記熱交換部７を介して循環ファン５の方へ流れていき、前記送風通路１９を通じて前記送風口１８から浴室内へ送出される。前記熱交換部７には、上述したように、温水供給装置２からの高温の温水が循環しているから、スリット１２ａから吸入された空気は前記熱交換部７で暖められ、送風通路１９を通じて送風口１８から温風として浴室内へ送出される。また、前記排気通路４２の入口側の吸気口１２ｂからは、該換気通路４２を通じて換気ファン４の方へ流れていき、屋外へ排出される。
【００４４】
このとき、人検知センサ３３が浴室内に人を検知しない場合、即ち、人検知センサ３３からの出力がない場合は、上記イオン発生制御手段によって、略同量の正イオンと負イオンが発生する電圧をイオン発生器６に印加し、送風通路１９内に設けられたイオン発生器６から正イオンと負イオンを略同量発生させる第１イオン発生モードを実行する。人検知センサ３３が浴室内に人を検知した場合、即ち、人検知センサ３３からの出力があった場合は、前記イオン発生制御手段によって、正イオンに対する負イオンの割合が大きくなる電圧をイオン発生器６に印加し、前記イオン発生器６から正イオンに対する負イオンの割合が大きい正イオンと負イオンを発生させる第２イオン発生モードを実行する（ＳＴ１０４〜ＳＴ１０６）。
【００４５】
これにより、前記温風と換気によって浴室内を乾燥させるとともに、浴室内に人がいない場合には、カビ等の菌類を積極的に除去する正イオンおよび負イオンの集合体が前記温風に乗って浴室へ拡散されるから、浴室内に浮遊するカビ等の菌類を減少させることができる。浴室内に人がいる場合には、人に対してリラックス効果を発揮する多量の負イオンが前記温風に乗って浴室内に拡散されるから、浴室内の人に対してリラックス効果を発揮する。
【００４６】
また、前記リモコン９に設けられたタイマー設定スイッチ９７にて予め設定された運転終了時刻が経過したか否かを、前記タイマー制御手段によって監視しており、運転終了時刻が経過した場合は、前記運転制御部１００から温水供給装置２の温水循環制御部２００へ温水供給装置２の運転終了信号を出力し、上述した温水循環を停止させる。また、送風口１８に設けられたルーバー１８０のモータ１８５に対して、ルーバー１８０を閉方向へ回動させる指示信号を出力してルーバー１８０を閉じ、換気ファン４に対して、該換気ファン４を停止させる指示信号を出力して換気ファン４を停止させる（ＳＴ１０７、ＳＴ１０８）。
【００４７】
そして、前記イオン発生器６が上記第２イオン発生モードを実行している場合は上記第１イオン発生モードに切り替えて（上記第１イオン発生モードを実行している場合は上記第１イオン発生モードを維持して）、前記ルーバー１８０を閉じた状態で一定時間（例えば、３分間）前記循環ファン５と前記イオン発生器６を運転した後、停止させる（ＳＴ１０９〜ＳＴ１１１）。
【００４８】
この、前記ルーバー１８０を閉じた状態で前記循環ファン５と前記イオン発生器６を上記第１イオン発生モードで運転する内部除菌動作によって、前記内部循環通路１９０を介して浴室空気調和機本体１０内の菌類を積極的に除去する正イオンおよび負イオンの集合体が拡散されるから、浴室空気調和機本体１０内の菌類を減少させる動作も自動的に実行される。
【００４９】
図４は、暖房運転モードを実行する場合のフローチャートである。
まず、浴室空気調和機１のリモコン９に設けられた暖房運転スイッチ９２が操作されたか否かを示す信号が、運転制御部１００に送信されるのを監視する（ＳＴ２０１）。
【００５０】
そして、暖房運転スイッチ９２が操作されたことを確認すると、前記暖房運転制御手段によって以下の暖房運転制御が実行される。
尚、暖房運転スイッチ９２に代えて、暖房予約スイッチ９３が操作された場合は、前記予約制御手段によって暖房運転を開始する時刻が設定され、使用者が入浴する時刻より前（例えば、入浴開始時刻の１５分前）から以下の暖房運転制御が実行される（ＳＴ２０２、ＳＴ２０３）。
【００５１】
前記運転制御部１００が、温水供給装置２の温水循環制御部２００に対して温水供給装置２の運転開始信号を出力すると、上述した乾燥運転と同様に、熱交換部７には、温水供給装置２からの高温の温水が循環される。また、前記モータ１８５に対して、ルーバー１８０を開方向へ回動させる指示信号を出力してルーバー１８０を開く（ＳＴ２０４）。
【００５２】
次に、温度センサ３５が浴室内の温度を検知し、室温が前記リモコン９に設けられた温度設定スイッチ９８にて予め設定された目標設定温度より低い場合は、循環ファン５のモータ５５に対して、該モータ５５を上記強回転させる指示信号を出力して循環ファン５を回転させる。室温が前記目標設定温度以上の場合は、循環ファン５のモータ５５に対して、該モータ５５を弱回転（例えば、循環ファン５からの送風量が１ｍ３／分となる回転数にて作動）させる指示信号を出力して循環ファン５を若干回転させる。（ＳＴ２０５〜ＳＴ２０７）。
【００５３】
即ち、室温が前記目標設定温度より低い場合は、上述した乾燥運転と同様に、スリット１２ａから吸入された空気が前記熱交換部７で暖められ、送風通路１９を通じて送風口１８から温風として浴室内へ送出される。また、室温が前記目標設定温度以上の場合は、送風口１８から浴室内へ若干送風される。
【００５４】
このとき、イオン発生器６は上述した乾燥運転と同様に、人検知センサ３３が浴室内に人を検知した場合は、上記第２イオン発生モードを実行し、人検知センサ３３が浴室内に人を検知しない場合は、上記第１イオン発生モードを実行する（ＳＴ２０８〜ＳＴ２１０）。
【００５５】
これにより、浴室内を前記目標設定温度になるまで暖めるとともに、浴室内に人がいる場合には、人に対してリラックス効果を発揮する多量の負イオンが前記温風に乗って浴室内に拡散されるから、浴室内の人に対してリラックス効果を発揮することができる。浴室内に人がいない場合には、菌類を積極的に除去する正イオンおよび負イオンの集合体が前記温風に乗って浴室へ拡散されるから、浴室内に浮遊するカビ等の菌類を減少させることができる。尚、室温が前記目標設定温度以上の場合においても、送風口１８から浴室内へ若干送風されるから、前記イオン発生器６から発生するイオンを浴室へ拡散させることができる。
【００５６】
また、上述した乾燥運転と同様に、上記運転終了時刻が経過したか否かを前記タイマー制御手段によって監視しており、運転終了時刻が経過した場合は、温水供給装置２の運転を停止させるとともに、送風口１８のルーバー１８０を閉じる。（ＳＴ２１１、ＳＴ２１２）。
【００５７】
そして、前記イオン発生器６が上記第２イオン発生モードを実行している場合は上記第１イオン発生モードに切り替えて（上記第１イオン発生モードを実行している場合は上記第１イオン発生モードを維持して）、前記内部除菌動作を一定時間（例えば、３分間）実行した後、停止させる（ＳＴ２１３〜ＳＴ２１５）。これにより、上述した乾燥運転と同様、浴室空気調和機本体１０内の菌類を減少させる動作も自動的に実行される。
【００５８】
図５は、涼風運転モードを実行する場合のフローチャートである。
まず、浴室空気調和機１のリモコン９に設けられた涼風運転スイッチ９４が操作されたか否かを示す信号が、運転制御部１００に送信されるのを監視する（ＳＴ３０１）。
そして、涼風運転スイッチ９４が操作されたことを確認すると、前記涼風運転制御手段によって以下の涼風運転制御が実行される。
【００５９】
前記運転制御部１００から送風口１８のモータ１８５に対して、ルーバー１８０を開方向へ回動させる指示信号を出力してルーバー１８０を開く（ＳＴ３０２）。
【００６０】
次に、循環ファン５のモータ５５に対して、該モータ５５を上記強回転させる指示信号を出力して循環ファン５を回転させるとともに、換気ファン４を作動させる指示信号を出力して換気ファン４を回転させる（ＳＴ３０３）。
【００６１】
すると、浴室内の空気が、浴室空気調和機本体１０に形成されるスリット１２ａから前記熱交換部７を介して循環ファン５の方へ流れていき、前記送風通路１９を通じて前記送風口１８から浴室内へ送出される。しかし、この場合は、上述した乾燥運転と異なり、前記熱交換部７には温水供給装置２からの高温の温水が循環していないから、スリット１２ａから吸入された空気は前記熱交換部７で暖められることなく、送風通路１９を通じて送風口１８から涼風として浴室内へ送出される。また、前記排気通路４２の入口側の吸気口１２ｂからは、該換気通路４２を通じて換気ファン４の方へ流れていき、屋外へ排出される。
【００６２】
このとき、イオン発生器６は上述した乾燥運転と同様に、人検知センサ３３が浴室内に人を検知した場合は、上記第２イオン発生モードを実行し、人検知センサ３３が浴室内に人を検知しない場合は、上記第１イオン発生モードを実行する（ＳＴ３０４〜ＳＴ３０６）。
【００６３】
これにより、浴室内に涼風を送出するとともに、浴室内に人がいる場合には、人に対してリラックス効果を発揮する多量の負イオンが前記涼風に乗って浴室内に拡散されるから、浴室内の人に対してリラックス効果を発揮することができる。浴室内に人がいない場合には、菌類を積極的に除去する正イオンおよび負イオンの集合体が前記涼風に乗って浴室へ拡散されるから、浴室内に浮遊するカビ等の菌類を減少させることができる。
【００６４】
また、上述した乾燥運転と同様に、上記運転終了時刻が経過したか否かを前記タイマー制御手段によって監視しており、運転終了時刻が経過した場合は、送風口１８のルーバー１８０を閉じるとともに、換気ファン４を停止させる（ＳＴ３０７、ＳＴ３０８）。
【００６５】
そして、前記イオン発生器６が上記第２イオン発生モードを実行している場合は上記第１イオン発生モードに切り替えて（上記第１イオン発生モードを実行している場合は上記第１イオン発生モードを維持して）、前記内部除菌動作を一定時間（例えば、３分間）実行した後、停止させる（ＳＴ３０９〜ＳＴ３１１）。これにより、上述した乾燥運転と同様、浴室空気調和機本体１０内の菌類を減少させる動作も自動的に実行される。
【００６６】
図６は、前記換気ファン４によって浴室内の空気を屋外へ排出する換気運転モード（上記涼風運転モードにおいて、循環ファン５からの風量を小さくした空調モード）を実行する場合のフローチャートである。
まず、浴室空気調和機１のリモコン９に設けられた換気運転スイッチ９５が操作されたか否かを示す信号が、運転制御部１００に送信されるのを監視する（ＳＴ４０１）。
そして、換気運転スイッチ９５が操作されたことを確認すると、前記換気運転制御手段によって以下の換気運転制御が実行される。
【００６７】
前記運転制御部１００から送風口１８のモータ１８５に対して、ルーバー１８０を開方向へ回動させる指示信号を出力してルーバー１８０を開く（ＳＴ４０２）。
【００６８】
次に、循環ファン５のモータ５５に対して、該モータ５５を上記弱回転させる指示信号を出力して循環ファン５を回転させるとともに、換気ファン４を作動させる指示信号を出力して換気ファン４を回転させる（ＳＴ４０３）。
【００６９】
すると、浴室内の空気が、前記排気通路４２の入口側の吸気口１２ｂから該換気通路４２を通じて換気ファン４の方へ流れていき、屋外へ排出される。また、浴室空気調和機本体１０に形成されるスリット１２ａから若干吸入された空気は前記熱交換部７で暖められることなく、前記送風通路１９を通じて前記送風口１８から浴室内へ若干送出される。
【００７０】
このとき、イオン発生器６は上述した乾燥運転と同様に、人検知センサ３３が浴室内に人を検知しない場合は、上記第１イオン発生モードを実行し、人検知センサ３３が浴室内に人を検知した場合は、上記第２イオン発生モードを実行する（ＳＴ４０４〜ＳＴ４０６）。
【００７１】
これにより、浴室内の換気をするとともに、浴室内に人がいない場合には、菌類を積極的に除去する正イオンおよび負イオンの集合体が前記送風口１８からの若干の送風に乗って浴室へ拡散されるから、浴室内に浮遊するカビ等の菌類を減少させることができる。浴室内に人がいる場合には、人に対してリラックス効果を発揮する多量の負イオンが前記送風口１８からの若干の送風に乗って浴室内に拡散されるから、浴室内の人に対してリラックス効果を発揮することができる。
【００７２】
また、上述した乾燥運転と同様に、上記運転終了時刻が経過したか否かを前記タイマー制御手段によって監視しており、運転終了時刻が経過した場合は、送風口１８のルーバー１８０を閉じるとともに、換気ファン４を停止させる（ＳＴ４０７、ＳＴ４０８）。
【００７３】
そして、前記イオン発生器６が上記第２イオン発生モードを実行している場合は上記第１イオン発生モードに切り替えて（上記第１イオン発生モードを実行している場合は上記第１イオン発生モードを維持して）、前記内部除菌動作を一定時間（例えば、３分間）実行した後、停止させる（ＳＴ４０９〜ＳＴ４１１）。これにより、上述した乾燥運転と同様、浴室空気調和機本体１０内の菌類を減少させる動作も自動的に実行される。
【００７４】
図７は、循環運転モードを実行する場合のフローチャートである。
まず、浴室空気調和機１のリモコン９に設けられた循環運転スイッチ９６が操作されたか否かを示す信号が、運転制御部１００に送信されるのを監視する（ＳＴ５０１）。
そして、循環運転スイッチ９６が操作されたことを確認すると、前記循環運転制御手段によって以下の循環運転制御が実行される。
【００７５】
前記運転制御部１００から送風口１８のモータ１８５に対して、ルーバー１８０を開方向へ回動させる指示信号を出力してルーバー１８０を開くとともに、循環ファン５のモータ５５に対して、該モータ５５を断続回転させる指示信号を出力して循環ファン５を断続的に回転させる。さらに、正イオンおよび負イオンが同時に発生する電圧をイオン発生器６に印加し、前記イオン発生器６から正イオンおよび負イオンを略同量発生させる第１イオン発生モードを実行する（ＳＴ５０２）。
【００７６】
すると、浴室空気調和機本体１０に形成されるスリット１２ａから吸入された浴室内の空気が、前記送風口１８から前記送風通路１９を通じて浴室内へ送出される。
【００７７】
これにより、菌類を積極的に除去する正イオンおよび負イオンの集合体が前記送風口１８からの送風に乗って浴室へ拡散されるから、浴室内に浮遊するカビ等の菌類を減少させることができる。従って、上記乾燥運転モードや暖房運転モード等の制御動作とは別に、浴室内の菌類を減少させる制御のみを行うことができる。尚、前記循環ファン５を断続的に回転させることによって、前記モータ５５の負荷を軽減し、循環運転モードの制御動作を長時間継続させることができる。
【００７８】
また、上述した乾燥運転と同様に、上記運転終了時刻が経過したか否かを前記タイマー制御手段によって監視しており、運転終了時刻が経過した場合は、送風口１８のルーバー１８０を閉じる（ＳＴ５０３、ＳＴ５０４）。
【００７９】
そして、前記内部除菌動作を一定時間（例えば、３分間）実行した後、停止させる（ＳＴ５０５、ＳＴ５０６）。これにより、上述した乾燥運転モードと同様、浴室空気調和機本体１０内の菌類を減少させる動作も自動的に実行される。
【００８０】
尚、上記実施形態において、前記熱交換部７は、浴室内の空気を暖める機能が備わったものであれば、温水供給装置２から循環される温水熱を熱源として利用したものに限らず、電気的に暖める電気ヒータであっても良い。
【００８１】
また、前記人検知センサ３３は、常に浴室内の人の有無を監視しているが、上記各空調モードによって人検知センサ３３のＯＮ／ＯＦＦを設定する（例えば、乾燥運転モードおよび換気運転モードの実行時には、人検知センサ３３をＯＦＦ状態に設定し、人検知センサ３３が浴室内の人を検知したか否かに関わらず、運転中は常に上記第１イオン発生モードを実行する）制御手段を設けても良い。
【００８２】
また、換気運転モードの実行時の前記循環ファン５は、上述した弱回転で前記モータ５５を回転させることによって、前記送風口１８から浴室内へ若干送風させたが、前記モータ５５を断続的に回転させることによって、浴室内へ断続的に送風させても良い。
【００８３】
また、乾燥運転モード、涼風運転モードおよび換気運転モードの実行時の前記換気ファン４は、連続的に回転させているが、断続的に回転させることによって、浴室内の空気を屋外へ断続的に排出させても良い。
【００８４】
さらに、循環運転モードの実行時には、人検知センサ３３が浴室内の人を検知したか否かに関わらず、運転中は常に上記第１イオン発生モードを実行しているが、上記乾燥運転モード等の実行時と同様に、人検知センサ３３が浴室内の人を検知したか否かによって、上記第１イオン発生モードと第２イオン発生モードとを切り替えても良い。
【図面の簡単な説明】
【図１】本発明の実施の形態に係る浴室空気調和機の概念図
【図２】本発明の実施の形態に係る浴室空気調和機の縦断面概略図
【図３】本発明の実施の形態に係る浴室空気調和機の乾燥運転モードを説明するフローチャート
【図４】本発明の実施の形態に係る浴室空気調和機の暖房運転モードを説明するフローチャート
【図５】本発明の実施の形態に係る浴室空気調和機の涼風運転モードを説明するフローチャート
【図６】本発明の実施の形態に係る浴室空気調和機の換気運転モードを説明するフローチャート
【図７】本発明の実施の形態に係る浴室空気調和機の循環運転モードを説明するフローチャート
【図８】従来例の説明図
【符号の説明】
１・・・浴室空気調和機
２・・・温水供給装置
４・・・換気ファン
５・・・循環ファン
６・・・イオン発生器
７・・・熱交換部
１０・・・浴室空気調和機本体
１２ａ・・・スリット
１２ｂ・・・吸気口
１８・・・送風口
１９・・・送風通路
３３・・・人検知センサ
３５・・・温度センサ
４２・・・換気通路
【図１】
2004085078.tif 000003
【図２】
2004085078.tif 000004
【図３】
2004085078.tif 000005
【図４】
2004085078.tif 000006
【図５】
2004085078.tif 000007
【図６】
2004085078.tif 000008
【図７】
2004085078.tif 000009
【図８】
2004085078.tif 000010